(57)【要約】【課題】  本発明は小用専用の小便器と大小用兼用の大便器の周囲部床面に、飛散したり便器漏れした尿を吸収すると共に尿が分解して発生する悪臭を消臭し、且つ発生する雑菌を抗菌処理する能力を持ったトイレ用使い捨てマットを提供し、トイレ内の衛生環境を向上させる。【解決手段】  使い捨てマット本体１は消臭ポリマーと抗菌ポリマー及び前記消臭ポリマーと主成分の異なる消臭剤を混合した高分子吸収樹脂を含む不織布シート３と、該不織布シート３の裏面部に形成される硬度のある型紙４及び滑り止め防水シート５と、該不織布シートの表面部に形成される通水性のあるポリエステル布２で構成され、外周端部を縫合している。【選択図】図１
2013226361.tif 000002
【特許請求の範囲】
【請求項１】
高分子吸収樹脂を含む不織布シートと、該不織布シートの裏面部に硬度のある型紙及び滑り止めと防水性の機能があるシートを備えた使い捨てマットにおいて、該不織布シートの表面部は通水性のあるポリエステル布で被覆され、外周端部を縫合していることを特徴とするトイレ用使い捨てマット。
【請求項２】
設置時に便器基部周辺で立ち上がる少なくとも二つ以上の舌片を形成するよう切込みが形成されていることを特徴とする請求項１に記載のトイレ用使い捨てマット。
【請求項３】
前記不織布シートの表面部を被覆するポリエステル布に有機酸を主成分とする第一の消臭剤とビス型第四アンモニウム塩を主成分とする第二の抗菌剤を含浸させ、前記不織布シートにアクリル酸重合体部分ナトリウム塩架橋物を主成分とする第三の消臭ポリマーとアクリル酸重合体部分ナトリウム塩架橋物を主成分とする第四の抗菌ポリマーと二酸化ケイ素を主成分とする第五の消臭剤及び高分子吸収樹脂を混合させたことを特徴とする請求項１または請求項２に記載のトイレ用使い捨てマット。
【請求項４】
前記不織布シートの表面部を被覆するポリエステル布に通水性を有する印刷面を形成し、環境に負荷をかけない印刷インクで印刷したことを特徴とする請求項１〜請求項３に記載のトイレ用使い捨てマット。
【発明の詳細な説明】
【技術分野】
【０００１】  本発明は床面に飛散したり便器漏れした尿を吸収し、尿が分解して発生する悪臭を消臭し、且つ発生する雑菌を抗菌処理する能力を持ったトイレ用使い捨てマットに関するものである。小便器に限らず大小兼用の大便器にも設置することが可能で、不潔になりがちでその臭気により不快感を感じさせるトイレ内の衛生管理を向上させるものである。更に、マット表面のポリエステル布には印刷が可能で、機能面だけでなくファッション性を付与し、告知や啓発文等などを表示できるという付加価値を持たせられる。
【背景技術】
【０００２】  これまでにも問題解決のため、次のようなものが提案されている。特許文献１では高吸水性の不織布シートの裏面に不透水性の再剥離型粘着剤を形成した使い捨てマットが提案されている。【０００３】  特許文献２では、無機ケイ素化合物と金属化合物及び多孔質物質とからなる消臭組成物を固着させた不織布からなる使い捨てトイレマットが提案されている。【０００４】  特許文献３では、吸水性、防水性に優れ、設置時に便器基部を受容する切り込みを有するトイレ用マットが提案されている。【０００５】  特許文献４では、収納部を備えた防水性床マットと吸収剤を適量挿入した前記収納部において取替えが可能な尿吸収シートを備えたトイレ用マットが提案されている。
【先行技術文献】
【特許文献】
【０００６】
【特許文献１】特開０９−１７２２９５号公報
【特許文献２】特開０８−２６４１００号公報
【特許文献３】特開０５−３２８８９４号公報
【特許文献４】特開０５−１３５３０号公報
【発明の概要】
【発明が解決しようとする課題】
【０００７】  これらは何れもトイレ等の床面に設置するマットとして、不特定多数の人が使用する場所に設置された場合、吸水性能に限度があり、保水性も低いことからマットを踏んだ際に尿がマット表面に滲み出すため悪臭が発生するとともに、不快感を感じさせるという問題、利用者の履物裏に尿がつくことで床面が汚染され不衛生であるという問題等などがあった。【０００８】  マットの設置については、単にトイレ内の便器基部周辺に設置されるだけでは便器基部周辺の壁面に付着し床面に垂れてくる尿滴を吸収できず、便器基部周辺と床面との間に出来た隙間に尿が付着し、悪臭が発生するとともに、不衛生であるという問題があった。【０００９】  人間の尿には体内から排泄される様々な物質が含まれており、その尿を吸収し、保水する際に単一の消臭剤では、尿が分解して発生する悪臭を消臭するには限度があり、抗菌剤が併用されない場合は、雑菌の増殖を抑制できないという問題があった。【００１０】  使い捨てまたは交換式マットの表面に通水性を有する印刷面を形成したり、広告などを印刷するだけでは、マットの装飾性に乏しく、又印刷用インクの環境汚染に対する問題等などがあった。
【課題を解決するための手段】
【００１１】  高分子吸収樹脂を含む不織布シートに消臭ポリマーと抗菌ポリマー及び前記消臭ポリマーと主成分の異なる消臭剤を混合させている。【００１２】  前記不織布シートは１８、０００〜１９、００００ｇ／ｍ２の吸水量を有しており、前記消臭剤には二酸化ケイ素を主成分とする消臭剤を採用している。【００１３】  便器基部周辺の壁面に付着し床面に垂れてくる尿滴を吸収するため、便器基部周辺で立ち上がる少なくとも二つ以上の舌片を形成するよう切込みをいれている。【００１４】  高分子吸収樹脂を含む不織布シートの表面部を被覆するポリエステル布は尿が滴下した際、素早く該不織布シートに通水する機能があり、該不織布シートとは主成分の異なる消臭剤と抗菌剤を含浸させている。【００１５】  前記抗菌剤には抗菌能力が高いビス型第四アンモニウム塩を主成分とする抗菌剤を採用している。【００１６】  前記ポリエステル布は、印刷部分に尿が滴下した際に吸尿を妨げないよう通水性を有するポリエステル布を採用し、且つ環境に負荷をかけない印刷インクで印刷している。
【発明の効果】
【００１７】  マット表面部に通水性のあるポリエステル布を採用することにより、マット表面に滴下した尿は素早く通水し、滴下した尿が表面部に残存し悪臭を発生し雑菌が発生するのを低減させることができる。【００１８】  前記ポリエステル布に消臭剤と抗菌剤を含浸することにより、尿が分解して発生する悪臭をマット表面部から消臭し、且つ雑菌が増殖されないよう抗菌処理ができる。【００１９】  高分子吸収樹脂を含む不織布シートに消臭ポリマーと抗菌ポリマー及び主成分の異なる消臭剤を混合させることにより、マット表面部から滴下した尿は直ちにゲル化された後、消臭され且つ雑菌が増殖されないよう抗菌処理ができる。【００２０】  前記ポリエステル布と不織布シートに主成分の異なる５種類の消臭剤と抗菌剤を含浸及び混合させることで、消臭効果及び抗菌効果を相乗的に向上させることができる。【００２１】  マット本体は便器基部周辺で立ち上がる少なくとも二つ以上の舌片を形成するよう切込みを形成していることにより、便器基部周辺の壁面に付着し床面に垂れてくる尿滴を吸収しゲル化した後、消臭され且つ雑菌が増殖されないよう抗菌処理ができる。【００２２】  前記ポリエステル布に文字、模様、絵柄などの任意の印刷を施して彩色効果を得ることは、視覚的に衛生に対する認識を良好にさせる。【００２３】  前記ポリエステル布に印刷をする際、環境に負荷をかけない印刷インクを使用することにより、廃棄処分などに際して特別な処理をする必要がなくなる。
【図面の簡単な説明】
【００２４】
【図１】本発明に係るマット本体の説明図
【図２】同マット本体の側面図
【図３】本発明に係る第一の実施形態を示すマットの平面図
【図４】本発明に係る第二の実施形態を示すマットの平面図
【図５】本発明に係る第三の実施形態を示すマットの平面図
【図６】本発明に係る第一の実施形態をしめすマットの使用状態を示した斜視図
【発明を実施するための形態】
【００２５】  本発明の実施の形態を図面に基づいて説明する。図１〜３は本発明に係るトイレマットの第一の実施形態を示し、図１がマット本体の構造を示す説明図、図２がその側面図、図３が本発明に係る第一の実施形態を示すマットの平面図である。
【００２６】  高分子吸収樹脂を含む不織布シート３には吸尿後、尿が滲み出さないよう直ちにゲル化する高分子吸収樹脂を採用している。
【００２７】  前記不織布シート３はアクリル酸重合体部分ナトリウム塩架橋物を主成分とする消臭ポリマーとアクリル酸重合体部分ナトリウム塩架橋物を主成分とする抗菌ポリマー及び二酸化ケイ素を主成分とする消臭剤を混合している。
【００２８】  利用者の履物裏に尿がつくことで床面が汚染されるのを防ぐために、尿が滴下された後素早く通水する機能のあるポリエステル布を採用している。
【００２９】  通水性のあるポリエステル布２に有機酸を主成分とする消臭剤とビス型第四アンモニウム塩を主成分とする抗菌剤を含浸させている。
【００３０】  通水性のあるポリエステル布２は、印刷による彩色効果をより高めるため４１色の着色を施したものを採用している。
【００３１】  通水性のあるポリエステル布２に印刷するインクはアクリル系樹脂を主成分とする、環境に負荷をかけないインクを採用している。
【００３２】  接着剤や接着シートを使用せず、通水性のあるポリエステル布２で高分子吸収樹脂を含む不織布シート３と型紙４および滑り止め防水シート５を被覆し、外周端部を縫合することでマットを安価に製造することができる。
【００３３】  マット本体１は便器の形状に合わせて一部を切り欠きＶ字型で形成している。
【００３４】  マット本体１は人の履物で踏まれても、それに耐え得る相当な強度を持つ構造にしている。
【００３５】  マット本体１は便器基部周辺で立ち上がる少なくとも二つ以上の舌片６を形成するよう切込み７が形成され、該舌片６の裏面部には粘着剤を塗布している。
【００３６】  二つ以上の舌片６の裏面部に粘着剤が塗布されていることで、マットの移動を抑制し床面の所定位置に安定維持ができる。又、安定維持をより確実にするため滑り止め用のシールを貼ることも可能である。
【００３７】  マット本体１を便器基部周辺に設置することを容易にするため、不織布シート３の裏面部に型紙４を採用している。
【００３８】  マット本体１に滴下した尿が吸水限度を超える量であったり、過剰な加圧が生じても吸水した尿が床面に漏れたり滲みだしたりしないよう、不織布シート３の裏面部に形成される型紙４の裏面部に防水機能のあるシート５を採用している。
【００３９】  図４は本発明に係るトイレ用使い捨てマットの第二の実施形態を示す平面図である。前記第一の実施形態と同一部位には、同一符号を付す。該マットの特徴は大小兼用の大便器の形状にあわせ、一部を切り欠きＵ字型で形成されていることである。大小兼用の大便器に使用されるにふさわしい形状に形成されている。側面図は第一の実施形態と同様である。
【００４０】  図５は本発明に係るトイレ用使い捨てマットの第三の実施形態を示す平面図である。前記第一の実施形態と同一部位には、同一符号を付す。該マットの特徴は方形状に形成されていることである。従って一部を切り欠かず便器基部周辺で立ち上がる少なくとも二つ以上の舌片も設けていない。便器の尿受け部の下に空間があくように壁面に取り付けられた小便器や、取付け位置の横側面に空間があるような便器に使用されるにふさわしい形状に形成されている。側面図は第一の実施形態と同様である。
【００４１】  前記の形状にした場合、トイレ用以外にも手洗いなどで水滴が床面を必要以上に濡らすような洗面台の下に使用することも出来る。
【符号の説明】
【００３９】１  マット本体
２  ポリエステル布
３  高分子吸収樹脂を含む不織布シート
４  型紙
５  滑り止め防水シート
６  舌片
７  切り込部
【図１】
2013226361.tif 000003
【図２】
2013226361.tif 000004
【図３】
2013226361.tif 000005
【図４】
2013226361.tif 000006
【図５】
2013226361.tif 000007
【図６】
2013226361.tif 000008